(57)【特許請求の範囲】
【請求項１】
照明器具を被取付対象に取り付けるために用いる照明器具取付部材であって、
当該照明器具を保持する照明保持部と、当該照明保持部から当該被取付対象が備える係合孔に向けて延びる第１及び第２係止片とを備え、
当該第１及び第２係止片は、可撓性材料にて構成されると共に、当該被取付対象の当該係合孔内に係合した状態で取付方向と直交する方向の移動を規制する規制部を備え、
当該第１及び第２係止片の規制部の少なくとも一方に取付方向と直交する方向に突出した規制片を備えることを特徴とする照明器具取付部材。
【請求項２】
前記規制部は、前記各係止片の前記被取付対象側の端部に設けられて、当該被取付対象の前記係合孔縁部を前記被取付対象の取付側及び前記取付側とは反対側の裏側から保持する縁把持部からなり、当該係合孔の対向する縁部を各係止片の当該縁把持部によって係合保持する請求項１に記載の照明器具取付部材。
【請求項３】
前記縁把持部は、略Ｖ字形状である請求項２に記載の照明器具取付部材。
【請求項４】
前記第１及び第２係止片が、前記照明保持部側が近接し、被取付対象側に向かうに従って離間して設けた請求項１〜請求項３のいずれかに記載の照明器具取付部材。
【請求項５】
請求項１〜請求項４のいずれかに記載の照明器具取付部材により取付可能とすることを特徴とする照明装置。
【請求項６】
前記請求項１〜請求項４のいずれかに記載の照明器具取付部材と、透光性ケース内にＬＥＤ素子を実装した長尺基板を配設した照明器具とを備えた照明装置であって、
前記照明器具取付部材の前記第１及び第２係止片の間に、当該照明器具から引き出された照明器具側配線及び／又は前記被取付対象側から引き出された被取付対象側配線を収容保持する配線保持部を備えたことを特徴とする照明装置。
【請求項７】
少なくとも前記第１係止片又は前記第２係止片のどちらか一方に、前記照明器具側配線及び／又は前記被取付対象側配線を露出する切欠を備えた請求項６に記載の照明装置。
【請求項８】
本体の前面に商品のサンプルを陳列する商品サンプル室を備えた自動販売機において、
請求項５〜請求項７のいずれかに記載の照明装置により当該商品サンプル室内の商品サンプルを照明することを特徴とする自動販売機。
【請求項９】
前記係合孔は、前記商品サンプル室の壁面に設けられ、
当該係合孔は、前記被取付対象側配線を当該商品サンプル室側に引き出す配線用孔を兼ねる請求項８に記載の自動販売機。
【発明の詳細な説明】
【技術分野】
【０００１】
本発明は、照明器具を自動販売機の商品サンプル室やショーケースの陳列室等の被取付対象に取り付ける際に用いる照明器具取付部材、及び、それを用いた照明装置、並びに、その照明装置を備えた自動販売機に関する。
【背景技術】
【０００２】
従来より、例えば自動販売機やショーケースなどでは、照明器具を商品サンプル室や陳列室に配設し、当該商品サンプル室や陳列室に収容された商品等の照明を行っている。一般に、照明器具としては、従前より長尺状の蛍光灯が用いられているが、当該蛍光灯の代わりとしてＬＥＤ素子を用いた照明器具も使用されてきている。この場合、長尺状の基板に複数のＬＥＤ素子を配設することにより、長尺状の照明器具を構成している。これらの照明器具は、取付部材を用いて商品サンプル室や陳列室の背面板や天面板等の任意の場所に取り付けられる。
【０００３】
例えば、特許文献１には、直管形ＬＥＤ照明の管体を下側より保持する保持部と、前記保持部の先端に一体に形成され前記保持部を取付け部材の挿入孔に係止する係止部と備えた落下防止器具が開示されている。当該特許文献１において直管形ＬＥＤ照明は、取付側に配設されたソケットに当該直管形ＬＥＤ照明の管体の両端を保持させると共に、断面略Ｕ字状に形成された落下防止器具によって、当該管体を部分的に取付側に保持する。保持部の先端に形成された係止部は、外方に向けて突出した鏃状を呈している。
【０００４】
また、特許文献２には、自動販売機の照明対象室内に配置された照明対象物を照明する自動販売機の照明装置であって、照明対象室の幅方向に延びる略長箱状の光透過性のユニット本体と、ユニット本体内に配置され下方に向かって発光するＬＥＤ（Ｌｉｇｈｔ  Ｅｍｉｔｔｉｎｇ  Ｄｉｏｄｅ）素子が設けられた照明基板とを備え、照明対象室後方の壁をその裏側から係止する第１係止片と、照明対象室後方の表面側から前記第１係止片との間に前記壁を挟むようにして係止する第２係止片とを有し、前記第１係止片及び第２係止片はユニット本体と一体に形成されているものが開示されている。
【先行技術文献】
【特許文献】
【０００５】
【特許文献１】実用新案登録第３１６６９２７号
【特許文献２】特開２０１５−２２５７６号公報
【発明の概要】
【発明が解決しようとする課題】
【０００６】
上述した特許文献１では、Ｕ字状に形成された落下防止器具の両先端を近接させる方向に撓ませた状態で取付け部材の挿入孔に挿入し、はなすことにより当該落下防止器具の弾性によって両係止部の鏃状の部分を挿入孔縁部に係止させ、当該係止部が取付け部材から抜け出ることを防止している。ゆえに、当該落下防止器具は、直管形ＬＥＤ照明の取付側との距離を固定して安定した保持を実現するものではないため、直管形ＬＥＤ照明の取り付け部材として用いることができない。
【０００７】
また、上述した特許文献２では、第１の係止片の端部を照明対象室後方の壁、すなわち、背面板に形成された第１の係止孔に挿入し、第２係止片の背面板と対向する面を当該背面板の前面に当接させながら下方に移動させて、第１係止片と第２係止片との間に背面板を挟み込んで保持しなければならず、取付作業が煩雑となる問題があった。特に、第１係止片及び第２係止片は、断面略Ｌ字状に形成されているため、その作業には各係止片に対して無理な力が加わりやすく、着脱時にこれら各係止片が割れるおそれがあった。
【０００８】
さらに、当該特許文献２では、安定した固定を行うために、第２係止片の背面に取付け部材側に突出した係合突起を備え、背面部には、当該係合突起を挿入保持する係合孔を設ける必要があった。この場合、背面板には、係合保持を行う箇所毎に、２箇所の係合孔を形成しなければならず、生産時における作業が煩雑となり、生産コストの高騰を招く問題があった。
【０００９】
以上のことから、市場からは、複雑な作業を行うことなく、安定して照明器具を取り付けることを可能とする照明器具取付部材の開発が要望されてきた。
【課題を解決するための手段】
【００１０】
そこで、本件発明者等は、鋭意研究の結果、照明器具を保持した状態で、第１及び第２係止片同士を近接する方向に撓ませるのみで、被取付対象に容易に安定して取り付けることができる照明器具取付部材と、当該照明器具取付部材を備えた照明装置、及び、当該照明装置を備えた自動販売機を提供することに至った。
【００１１】
すなわち、本発明に係る照明器具取付部材は、照明器具を被取付対象に取り付けるために用いる照明器具取付部材であって、当該照明器具を保持する照明保持部と、当該照明保持部から当該被取付対象が備える係合孔に向けて延びる第１及び第２係止片とを備え、当該第１及び第２係止片は、可撓性材料にて構成されると共に、当該被取付対象の当該係合孔内に係合した状態で取付方向と直交する方向の移動を規制する規制部を備え、当該第１及び第２係止片の規制部の少なくとも一方に取付方向と直交する方向に突出した規制片を備えることを特徴とする。
【００１２】
また、本発明に係る照明器具取付部材において、前記規制部は、前記各係止片の前記被取付対象側の端部に設けられて、当該被取付対象の前記係合孔縁部を前記被取付対象の取付側及び前記取付側とは反対側の裏側から保持する縁把持部からなり、当該係合孔の対向する縁部を各係止片の当該縁把持部によって係合保持することが好ましい。
【００１３】
さらに、本発明に係る照明器具取付部材は、縁把持部が、略Ｖ字形状であることが好ましい。
【００１４】
また、本発明に係る照明器具取付部材は、前記第１及び第２係止片が、前記照明保持部側が近接し、被取付対象側に向かうに従って離間して設けることが好ましい。
【００１５】
本発明に係る照明装置は、上述した照明器具取付部材により取付可能とすることを特徴とする。
【００１６】
本発明に係る照明装置は、上述した照明器具取付部材と、透光性ケース内にＬＥＤ素子を実装した長尺基板を配設した照明器具とを備えたものであって、前記照明器具取付部材の前記第１及び第２係止片の間に、当該照明器具から引き出された照明器具側配線及び／又は前記被取付対象側から引き出された被取付対象側配線を収容保持する配線保持部を備えたことを特徴とする。
【００１７】
また、本発明に係る照明装置は、少なくとも前記第１係止片又は前記第２係止片のどちらか一方に、前記照明器具側配線及び／又は前記被取付対象側配線を露出する切欠を備えたものであることが好ましい。
【００１８】
本発明に係る自動販売機は、本体の前面に商品のサンプルを陳列する商品サンプル室を備えたものであって、上述した照明装置により当該商品サンプル室内の商品サンプルを照明することを特徴とする。
【００１９】
また、本発明に係る自動販売機は、前記係合孔が、前記商品サンプル室の壁面に設けられ、当該係合孔が、前記被取付対象側配線を当該商品サンプル室側に引き出す配線用孔を兼ねることが好ましい。
【発明の効果】
【００２０】
本発明に係る照明器具取付部材によれば、照明保持部に照明器具を保持した状態で、第１及び第２係止片を近接する方向に撓ませて、当該第１及び第２係止片の規制部を被取付対象の係合孔の縁部に係合させることで、第１及び第２係止片の弾性力によって、当該被取付対象の当該係合孔内に係合した状態で取付方向と直交する方向の移動を規制することができ、容易に安定した取付を実現することができる。特に本発明によれば、第１及び第２係止片を近接する方向に撓ませるのみで被取付対象が備える係合孔に係合させることができるため、各係止片に無理な力が加わりにくく、割れ等の損傷が生じ難い。さらに、本発明の第１及び第２係止片は、同一の係合孔に係合するものであるため、係合保持を行う箇所毎に複数の係合孔を形成する必要がなくなり、被取付対象側に形成する係合孔の数を削減することが可能となる。
【図面の簡単な説明】
【００２１】
【図１】本実施の形態の照明装置の斜視図である。
【図２】長尺基板の平面図である。
【図３】図１の照明装置の側面図である。
【図４】連結部取付部材の取付部分の照明装置の下面図である。
【図５】端部取付部材の側面図である。
【図６】端部取付部材を被照明対象側から見た図である。
【図７】端部取付部材の平面図である。
【図８】照明器具と取付対象側の配線状態を示す図である。
【図９】連結部取付部材の側面図である。
【図１０】連結部取付部材の被照明対象から見た図である。
【図１１】連結部取付部材の平面図である。
【図１２】本発明の照明装置を用いた一実施の形態としての自動販売機の概略正面図である。
【図１３】図１２の自動販売機の概略縦断側面図である。
【発明を実施するための形態】
【００２２】
以下、本発明に係る照明器具取付部材を適用した実施の形態としての照明装置Ｌについて図面を参照して説明する。本発明に係る照明器具取付部材は、照明器具を被取付対象に取り付けるため用いるものである。本発明に係る照明器具取付部材において、照明器具は、特に限定されるものではないが、透光性ケース内にＬＥＤ素子を実装した長尺基板を配設したＬＥＤ照明器具や、従前から用いられている蛍光灯などの照明手段を採用することができる。一方、本発明に係る照明装置は、当該照明器具取付部材と、当該ＬＥＤ照明器具とを備えたものである。よって、以下の実施の形態では、ＬＥＤ照明器具を照明器具として用いた場合を例に挙げて説明する。
【００２３】
＜照明器具＞
まずはじめに、図１〜図４を参照して、本実施の形態における照明器具２について述べる。図１は本実施の形態としての照明装置Ｌの斜視図、図２は長尺基板１０の平面図、図３は図１の照明装置Ｌの側面図、図４は連結部取付部材３０の取付箇部分の照明装置Ｌの下面図を示している。
【００２４】
本実施の形態における照明器具２は、長尺基板１０上に所定数のＬＥＤ素子１１を配列した複数の照明モジュールを、単一の透光性ケース１５の内部に収容し、被照明対象物の設置寸法に応じて、単一、又は、これらを直列に連結して一つの照明器具２を構成する。本実施の形態における照明装置Ｌは、本発明の照明器具取付部材を適用した端部取付部材２０及び連結部取付部材３０を用いて照明器具２を着脱自在に被取付対象３側に係合保持される。
【００２５】
本発明の照明器具２を構成する長尺基板１０は、図２に示すように、複数、例えば４個〜６個のＬＥＤ素子１１を長手方向にわたって間隔をおいて直列接続して実装するための配線パターン（図示しない）が形成された回路基板により構成されている。この長尺基板１０の両端部１０Ａ、１０Ａには、当該長尺基板１０から引き出された配線１２が接続されている。また、この長尺基板１０の両端部１０Ａ、１０Ａには、照明器具取付部材の基板保持部を挿入係合する切欠１３が形成されている。当該長尺基板１０は、複数のＬＥＤ素子１１を実装した状態で１つの照明モジュールを構成する。
【００２６】
当該長尺基板１０に実装されるＬＥＤ素子１１の数や配置は、例えば、照明対象に応じて必要な明るさや照明による演出効果を考慮して設定される。よって、１つの長尺基板１０に配置されるＬＥＤ素子１１の数や配置は、図２に例として挙げたものに限定されるものではなく、任意に設定可能とする。
【００２７】
また、当該長尺基板１０の長手方向の寸法は、照明対象に応じて変更可能とする。ただし、当該照明装置Ｌが採用される自動販売機やショーケースなどは、設置場所における種々の要望に対応するため、多数の製品サイズが存在する。ゆえに、その汎用性を考慮して、所定数のＬＥＤ素子１１を長尺基板１０上に配列した照明モジュールを複数用意し、これらを組み合わせて直列に連結することで、一つの照明装置を構成することが好ましい。
【００２８】
次に、上述した長尺基板１０が収容保持される透光性ケース１５について説明する。本実施の形態における透光性ケース１５は、両端が開口した筒状部材により構成される。当該透光性ケース１５は、例えば、アクリル樹脂やポリカーボネート樹脂等の内部に収容されたＬＥＤ素子１１から照射される光を外部に透過可能な材料により構成される。なお、透光性を備えるものであれば、ここに挙げた樹脂以外の材料を用いて透光性ケース１５を構成しても良い。
【００２９】
そして、本実施の形態における透光性ケース１５は、図３に示すように、当該透光性ケース１５の長手方向と直交する方向で切断した断面が、長尺基板１０の幅方向に延びて扁平した略楕円形状を呈している。この際、当該透光性ケース１５の内径は、断面楕円形状の長軸に相当する寸法が、長尺基板１０を挿脱容易とする寸法となるように形成する。
【００３０】
また、本実施の形態における照明器具２は、上述したように、単一の透光性ケース１５内に、ＬＥＤ素子１１を実装した長尺基板１０からなる複数の照明モジュールを内部に収容し、これらを直列に連結してなる。よって、本実施の形態における透光性ケース１５には、図４に示すように、隣り合う各照明モジュールの各長尺基板１０、１０の両端部１０Ａ、１０Ａが配置される近傍に開口部１６が形成されている。当該開口部１６は、隣り合う各照明モジュールの各長尺基板１０、１０の両端部１０Ａ、１０Ａが配置される近傍に形成されていれば、当該長尺基板１０の光照射側の面側に形成されるものであっても、これとは反対側の面側に形成されるものであってもいずれでも良い。
【００３１】
また、当該透光性ケース１５は、外面に長手方向に沿って突起状の補強リブ１７を備える。本実施の形態において、当該補強リブ１７は、長尺基板１０の長手方向に延びる側端面１０Ｂ側の外部側面、すなわち、この場合、当該楕円の長軸と交差する位置の外面に、対向する一対の補強リブ１７、１７を形成することが好ましい。なお、本実施の形態では、当該透光性ケース１５が断面略楕円形状を呈しているため、補強リブ１７、１７を当該楕円の長軸と交差する位置に形成しているが、当該透光性ケース１５の断面形状はこの略楕円形状に限定されるものではなく、円形、多角形等を含む筒状を呈するものであれば、いずれの断面形状を採用することができる。楕円形状以外の断面形状を採用した場合には、補強リブ１７、１７は、収容する長尺基板１０の長手方向に延びる側端面１０Ｂ側の外部断面に形成すれば足りる。
【００３２】
さらに、本実施の形態では、図３に示すように、当該透光性ケース１５の断面形状が、当該長尺基板１０の長手方向に延びる側端面１０Ｂ側と対向する部分において、当該長尺基板１０の側端面１０Ｂと略平行となる平坦部１８を備えることが好ましい。当該平坦部１８は、少なくともその幅寸法が長尺基板１０の厚さ寸法よりも所定寸法だけ大きい幅寸法であることが好ましい。当該平坦部１８を備える透光性ケース１５の場合、上述した補強リブ１７、１７は、当該透光性ケース１５の平坦部１８の外面で、好ましくは、当該平坦部１８の幅方向における略中央に形成される。
【００３３】
＜照明器具取付部材＞
次に、図５〜図１１を参照して本発明の照明器具取付部材としての端部取付部材２０及び連結部取付部材３０について述べる。まずはじめに、図５〜図８を参照して端部取付部材２０について説明し、その後、図９〜図１１を参照して連結部取付部材３０について説明する。
【００３４】
端部取付部材：図５は端部取付部材２０の側面図、図６は端部取付部材２０の被照明対象側から見た図、図７は端部取付部材２０の平面図、図８は照明器具２と被照明対象側の配線状態を示す図をそれぞれ示している。この端部取付部材２０は、照明器具２を構成する透光性ケース１５の両端部に取り付けて、当該照明器具２を被取付対象３に係合保持する部材である。当該端部取付部材２０は、可撓性材料により構成されたものであって、照明器具２を保持する照明保持部２１と、当該照明保持部２１から当該被取付対象３が備える係合孔４に向けて延びる第１係止片２４及び第２係止片２５とを備える。
【００３５】
当該照明保持部２１は、上述した図３及び図５に示すように、照明器具２を構成する透光性ケース１５の端部外周を囲繞するように構成されている。本実施の形態では、照明器具２の透光性ケース１５は長手方向に延在して構成されており、当該照明器具２を被照明対象に沿って取り付ける。よって、照明保持部２１は、透光性ケース１５の長手方向に対して垂直方向に切断したときの当該透光性ケース１５の外周を囲繞するように形成される。本実施の形態において、透光性ケース１５の断面は、上述したように、略楕円形状を呈しているため、当該照明保持部２１の断面も、一部が切り欠かれた略楕円形状を呈している。また、この照明保持部２１の内周面には、断面外周を囲繞保持する透光性ケース１５の外周面に形成された補強リブ１７を挿入保持する凹溝２２が形成されている。なお、当該照明保持部２１は、断面外周をすべて囲繞するものでなくてもよく、透光性ケース１５の下面を少なくとも囲繞するものであればよい。これにより、照明保持部２１の製造コストを低減することが可能となる。
【００３６】
また、この照明保持部２１は、保持する透光性ケース１５内に収容される長尺基板１０の端部１０Ａ、具体的には、上述した切欠１３が形成された長手方向の端部１０Ａを把持する基板保持部２３を備える。本実施の形態において、当該基板保持部２３は、照明保持部２１の端縁から断面楕円の径方向内部に向けて延びる起立片２３Ａと、当該起立片２３Ａから照明保持部２１の長手方向（透光性ケース１５の長手方向）内部に向けて延びる把持片２３Ｂとにより構成される。この把持片２３Ｂの端部には、長尺基板１０の端部１０Ａに形成された係合孔１０Ｄ内に進入して係合保持する係合爪２３Ｃが形成されている。
【００３７】
これにより、端部取付部材２０を透光性ケース１５に取り付けた状態で、当該透光性ケース１５内に収容された長尺基板１０の端部は、端部取付部材２０によって保持されているため、安定した状態で当該照明装置Ｌを持ち運ぶことができ、取付箇所への取付作業を行うことができる。また、この基板保持部２３は、当該端部取付部材２０が透光性ケース１５に取り付けられた状態で、当該透光性ケース１５内に収容される長尺基板１０を、当該長尺基板１０のＬＥＤ素子１１が実装される光照射側の面１０Ｃが当該透光性ケース１５に形成された補強リブ１７よりも光照射側となるような位置に保持する。
【００３８】
当該端部取付部材２０の照明保持部２１には、当該照明保持部２１から取付対象が備える係合孔４に向けて延びる第１係止片２４及び第２係止片２５が形成されている。第１係止片２４及び第２係止片２５は、当該被取付対象の当該係合孔内に係合した状態で取付方向と直交する方向の移動を規制する規制部を備えている。すなわち、第１係止片２４及び第２係止片２５は、被取付対象の係合孔の挿通方向である取付方向と、直交する方向、具体的には、互いに近接する方向に撓ませた状態で係合孔に挿入したこれら第１係止片２４及び第２係止片２５が、弾性力によって復元する方向、の移動を規制する規制部を備えている。本実施の形態において、規制部は、各第１係合片２４及び第２係合片２５の被取付対象３側の端部に形成された縁把持部２６、２７によりそれぞれ構成される。
【００３９】
第１係合片２４に形成される縁把持部２６は、被取付対象３の例えば、背面板や天面板にあらかじめ形成された角孔状の係合孔４に係合保持するものであって、当該係合孔４の縁部の取付側を支持する取付側支持面２６Ａと、当該取付側とは反対側の裏側を支持する裏側支持面２６Ｂとを有する。本実施の形態における第１係合片２４に形成された縁把持部２６は、当該取付側支持面２６Ａと裏側支持面２６Ｂとが、係合孔４の縁部に当接する縁部当接面２６Ｃを基点とする略Ｖ字形状を呈している。
【００４０】
第２係合片２５に形成される縁把持部２７は、第１係合片２４に形成される縁把持部２６と同様に、被取付対象３に形成された角孔状の係合孔４に係合保持するものであって、当該係合孔４の縁部の取付側を支持する取付側支持面２７Ａと、当該取付側とは反対側の裏側を支持する裏側支持面２７Ｂとを有する。本実施の形態における第２係合片２５に形成された縁把持部２７は、当該取付側支持面２７Ａと裏側支持面２７Ｂとが、係合孔４の縁部に当接する縁部当接面２７Ｃを基点とする略Ｖ字形状を呈している。
【００４１】
第１係合片２４及び第２係合片２５の縁当接面２６Ｃ、２７Ｃは、いずれも被取付対象３の背面板や天面板などの取付側の板厚と略同じ幅寸法を備えている。以上の構成により、縁保持部２６又は２７が係合孔４に係合した状態で、縁当接面２６Ｃ又は２７Ｃが係合孔４の端面に当接し、取付側支持面２６Ａと裏側支持面２６Ｂ、若しくは、取付側支持面２７Ａと裏側支持面２７Ｂとで係合孔４の縁部の把持して取付方向の移動を規制する。また、縁保持部２６又は２７が係合孔４に係合した状態で、端部取付部材２０自体が被取付対象３に対して、斜めの方向に力が加わった場合には、第１係合片２４の取付側支持面２６Ａと第２係合片２５の裏側支持面２７Ｂ、若しくは、第２係合片２５の取付側支持面２７Ａと第１係合片２４の裏側支持面２６Ｂとで係合孔４の縁部の把持して当該縁把持部２６及び２７が係合孔４から外れることを規制する。さらに、当該縁把持部２６及び２７の取付側支持面２６Ａ、２７Ａ及び裏側支持面２６Ｂ、２７Ｂが被取付対象３側に形成される係合孔４の寸法に対応した寸法に形成されることにより、当該取付側支持面２６Ａ、２７Ａと裏側支持面２６Ｂ、２７Ｂとで係合孔４内において取付方向と直交する方向の移動を規制することができる。
【００４２】
第１係止片２４及び第２係止片２５は、可撓性材料にて構成されており、縁把持部２６と縁把持部２７とを、互いに近接する方向に撓ませることで、当該係止片２４及び２５自体を変形させて、各縁把持部２６、２７を被取付対象３側の係合孔４に挿入させ、その弾性力によって当該係合孔４の対向する縁部を各係止片２４、２５の縁把持部２６、２７によって係合保持可能とする。
【００４３】
本実施の形態において、第１の係止片２４は、照明保持部２１の断面外周の上側の端部から被取付対象３側に向けて延びて形成され、第２の係止片２５は、照明保持部２１の断面外周の下側の端部から取付対象側に向けて延びて形成されることが好ましい。また、第１係止片２４及び第２係止片２５は、照明保持部２１側が近接し、被取付対象３側に向かうに従って離間して形成されることが好ましい。当該構成とすることにより、各係止片２４及び２５の縁把持部２６、２７が形成される側を挟み持つことによって、容易に縁把持部２６、２７同士を近接させて、被取付対象３側に形成された係合孔４に各縁把持部２６、２７を挿入係合させることができ作業性が良好となる。
【００４４】
また、第１係止片２４又は第２係止片２５の少なくともどちらか一方の縁把持部２６、２７の縁部当接面２６Ｃ、２７Ｃの取付側支持面２６Ａ、２７Ａ側縁部には、係合孔４に挿入する際に、位置決めを容易とする規制片２８が設けられていることが好ましい。当該規制片２８は、取付方向と直交する方向に突出して形成されて、係止片２４又は２５の縁把持部２６、２７の係合位置を適正な位置に案内することができる。
【００４５】
そして、当該端部取付部材２０の係合保持に用いた被取付対象３側の係合孔４は、被取付対象３側から照明器具２へ給電を行うための被取付対象３側配線５を照明器具２側に引き出す配線用孔を兼ねるものであることが好ましい。特に、照明器具２と被取付対象３側との配線接続が行われる側に設けられる端部取付部材２０は、当該第１係止片２４と第２係止片２５との間に、照明器具２から引き出された照明器具側配線１２や被取付対象３側から引き出された被取付対象側配線５を収容保持する配線保持部２９が形成されることが好ましい。第１係止片２４及び第２係止片２５の少なくともどちらか一方には、当該配線保持部２９と照明保持部２１とを区画するための区画片２９Ａを設けてもよい。これにより、照明器具側配線１２と、当該照明器具側配線１２と接続される被取付対象側配線５とは、接続した状態で当該端部取付部材２０に形成された配線保持部２９内に収容保持可能となる。
【００４６】
また、当該端部取付部材２０の第１係止片２４又は第２係止片２５の少なくともどちらか一方に、当該配線保持部２９内に収容保持された照明器具側配線１２及び／又は被取付対象側配線５を露出する切欠２４Ａ又は２５Ａを備えることが好ましい。これにより、図８に示すように、当該照明器具側配線１２に形成されたコネクタ１２Ａと被取付対象側配線５に形成されたコネクタ５Ａとを当該配線保持部２９内に収容した状態で、外部から容易に接続作業を行うことが可能となる。よって、配線作業性が良好となることで、各配線の長さを必要最小限とすることが可能となり、当該照明器具２の端部周辺において取り回された配線が照明器具２からの照明光を遮蔽しがたくなり、配線による影が被照明対象物に生じにくくなる。これにより、照明効果を高めることができる。
【００４７】
連結部取付部材：図９は連結部取付部材３０の側面図、図１０は連結部取付部材３０の被照明対象から見た図、図１１は連結部取付部材３０の平面図をそれぞれ示している。この連結部取付部材３０は、照明器具２を構成する透光性ケース１５内に収容された隣り合う長尺基板１０の端部１０Ａを把持してこれら長尺基板１０、１０を連結すると共に、被取付対象３に係合保持させる部材である。当該連結部取付部材３０は、端部取付部材２０と同様に、可撓性材料により構成されたものであって、照明器具２を保持する照明保持部３１と、当該照明保持部２３から当該被取付対象３が備える係合孔４に向けて延びる第１係止片３４及び第２係止片３５とを備える。
【００４８】
当該照明保持部３１は、図９に示すように、照明器具２を構成する透光性ケース１５の端部外周を囲繞するように構成されている。照明保持部３１は、端部取付部材２０の照明保持部２１と同様に、透光性ケース１５の長手方向に対して垂直方向に切断したときの当該透光性ケース１５の外周を囲繞するように形成される。本実施の形態において、透光性ケース１５の断面は、上述したように、略楕円形状を呈しているため、当該照明保持部３１の断面も、一部が切り欠かれた略楕円形状を呈している。また、この照明保持部３１の内周面には、断面外周を囲繞保持する透光性ケース１５の外周面に形成された補強リブ１７を挿入保持する凹溝３２、３２が形成されている。なお、当該照明保持部３１は、断面外周をすべて囲繞するものでなくてもよく、図９に示すように透光性ケース１５の下面を少なくとも囲繞するものであればよい。
【００４９】
また、この照明保持部３１は、透光性ケース１５内に収容される隣り合って対向する各長尺基板１０、１０の端部１０Ａ、１０Ａを把持する一組の把持する基板保持部３３、３３を備える。これら基板保持部３３、３３は、図４に示すように透光性ケース１５に形成された隣り合う長尺基板１０、１０の両端部１０Ａ、１０Ａが配置される近傍に形成される開口部１６から内部に進入した状態で、照明保持部３１を挟んで背中合わせに透光性ケース１５内に配置されるものである。
【００５０】
具体的には、本実施の形態において、当該基板保持部３３、照明保持部３１の長手方向（透光性ケース１５の長手方向）の両端縁にそれぞれ形成される。各基板保持部３３は、それぞれ照明保持部３１の端縁から断面楕円の径方向内部に向けて延びる起立片３３Ａと、当該起立片３３Ａから照明保持部３１の長手方向（透光性ケース１５の長手方向）外方に向けて延びる一組の把持片３３Ｂ、３３Ｂとにより構成される。この把持片３３Ｂの端部には、長尺基板１０の端部１０Ａに形成された係合孔１０Ｄ内に進入して係合保持する係合爪３３Ｃが形成されている。
【００５１】
これにより、連結部取付部材３０の把持片３３Ｂ、３３Ｂを、透光性ケース１５の開口部１６から内部に進入した状態で、当該透光性ケース１５内に収容された長尺基板１０の各端部は、連結部取付部材３０の係合爪３３Ｃ、３３Ｃによって保持されているため、安定した状態で当該照明装置Ｌを持ち運ぶことができ、被取付対象３への取付作業を容易に行うことができる。また、この基板保持部３３は、当該連結部取付部材３０が透光性ケース１５に取り付けられた状態で、当該透光性ケース１５内に収容される各長尺基板１０を、当該長尺基板１０のＬＥＤ素子１１が実装される光照射側の面１０Ｃが当該透光性ケース１５に形成された補強リブ１７よりも光照射側となるような位置に保持する。
【００５２】
当該連結取付部材３０の照明保持部３１には、当該照明保持部３１から取付対象が備える係合孔４に向けて延びる第１係止片３４及び第２係止片３５が形成されている。第１係止片３４及び第２係止片３５は、当該被取付対象の当該係合孔内に係合した状態で取付方向と直交する方向の移動を規制する規制部を備えている。すなわち、第１係止片３４及び第２係止片３５は、被取付対象の係合孔の挿通方向である取付方向と、直交する方向、具体的には、互いに近接する方向に撓ませた状態で係合孔に挿入したこれら第１係止片３４及び第２係止片３５が、弾性力によって復元する方向、の移動を規制する規制部を備えている。本実施の形態において、規制部は、各第１係合片３４及び第２係合片３５の被取付対象３側の端部に形成された縁把持部３６、３７により構成される。
【００５３】
第１係合片３４に形成される縁把持部３６は、被取付対象３に形成された係合孔４に係合保持するものであって、当該係合孔４の縁部の取付側を支持する取付側支持面３６Ａと、当該取付側とは反対側の裏側を支持する裏側支持面３６Ｂとを有する。本実施の形態における第１係合片３４に形成された縁把持部３６は、当該取付側支持面３６Ａと裏側支持面３６Ｂとが、係合孔４の縁部に当接する縁部当接面３６Ｃを基点とする略Ｖ字形状を呈している。
【００５４】
第２係合片３５に形成される縁把持部３７は、第１係合片３４に形成される縁把持部３６と同様に、被取付対象３に形成された係合孔４に係合保持するものであって、当該係合孔４の縁部の取付側を支持する取付側支持面３７Ａと、当該取付側とは反対側の裏側を支持する裏側支持面３７Ｂとを有する。本実施の形態における第２係合片３５に形成された縁把持部３７は、当該取付側支持面３７Ａと裏側支持面３７Ｂとが、係合孔４の縁部に当接する縁部当接面３７Ｃを基点とする略Ｖ字形状を呈している。
【００５５】
第１係合片３４及び第２係合片３５の縁当接面３６Ｃ、３７Ｃは、いずれも被取付対象３の背面板や天面板などの取付側の板厚と略同じ幅寸法を備えている。以上の構成により、縁保持部３６又は３７が係合孔４に係合した状態で、縁当接面３６Ｃ、３７Ｃが係合孔４の端面に当接し、取付側支持面３６Ａと裏側支持面３６Ｂ、若しくは、取付側支持面３７Ａと裏側支持面３７Ｂとで係合孔４の縁部の把持して取付方向の移動を規制する。また、縁保持部３６又は３７が係合孔４に係合した状態で、連結取付部材３０自体が被取付対象３に対して、斜めの方向に力が加わった場合には、第１係合片３４の取付側支持面３６Ａと第２係合片３５の裏側支持面３７Ｂ、若しくは、第２係合片３５の取付側支持面３７Ａと第１係合片３４の裏側支持面３６Ｂとで係合孔４の縁部の把持して当該縁把持部３６及び３７が係合孔４から外れることを規制する。さらに、当該縁把持部３６及び３７の取付側支持面３６Ａ、３７Ａ及び裏側支持面３６Ｂ、３７Ｂが被取付対象３側に形成される係合孔４の寸法に対応した寸法に形成されることにより、当該取付側支持面３６Ａ、３７Ａと裏側支持面３６Ｂ、３７Ｂとで係合孔４内において取付方向と直交する方向の移動を規制することができる。
【００５６】
第１係止片３４及び第２係止片３５は、端部取付部材２０の第１係合片２４及び第２係合片２５と同様に、可撓性材料にて構成されており、縁把持部３６と縁把持部３７とを、互いに近接する方向に撓ませることで、当該係止片３４及び３５自体を変形させて、各縁把持部３６、３７を被取付対象３側の係合孔４に挿入させ、その弾性力によって当該係合孔４の対向する縁部を各係止片３４、３５の縁把持部３６、３７によって係合保持可能とされる。
【００５７】
本実施の形態において、第１の係止片３４は、照明保持部３１の断面外周の上側の端部から被取付対象３側に向けて延びて形成され、第２の係止片３５は、照明保持部３１の断面外周の下側の端部から取付対象側に向けて延びて形成されることが好ましい。また、第１係止片３４及び第２係止片３５は、照明保持部３１側が近接し、被取付対象３側に向かうに従って離間して形成されることが好ましい。当該構成とすることにより、各係止片３４及び３５の縁把持部３６、３７が形成される側を挟み持つことによって、容易に縁把持部３６、３７同士を近接させて、被取付対象３側に形成された係合孔４に各縁把持部３６、３７を挿入係合させることができ作業性が良好となる。
【００５８】
また、第１係止片３４又は第２係止片３５の少なくともどちらか一方の縁把持部３６、３７の縁部当接面３６Ｃ、３７Ｃの取付側支持面３６Ａ、３７Ａ側縁部には、係合孔４に挿入する際に、位置決めを容易とする規制片３８が設けられていることが好ましい。当該規制片３８は、取付方向と直交する方向に突出して形成されて、係止片３４又は３５の縁把持部３６、３７の係合位置を適正な位置に案内することができる。
【００５９】
以上の構成により、本実施の形態に係る照明装置Ｌの組立及び取付手順について説明する。まずはじめに、透光性ケース１５内に、開口した端部から、ＬＥＤ素子１１を実装した状態の長尺基板１０を連結して用いるだけの数、挿入する。この時点で、連結して用いる長尺基板１０を全て透光性ケース１５内に挿入しても良いが、はじめ２つのみ挿入し、連結作業が終了した後に次の長尺基板１０を挿入しても良い。この際、長尺基板１０の側端面１０Ｂ、１０Ｂをそれぞれ透光性ケース１５の平坦部１８の内面と対峙させるように当該透光性ケース１５内に挿入する。
【００６０】
そして、透光性ケース１５内に収納された隣り合う長尺基板１０の間に連結部取付部材３０を取り付ける。具体的には、隣り合う長尺基板１０、１０の端部１０Ａ、１０Ａを透光性ケース１５に形成された開口部１６に対応する位置に配置する。そして、図４に示すように、これら隣り合う長尺基板１０の端部１０Ａ、１０Ａ間を少許離間させて、その間に連結部取付部材３０の各基板保持部３３、３３を当該開口部１５を介して透光性ケース１５内に挿入し、当該連結部取付部材３０の照明保持部３１を撓ませて透光性ケース１５の外周を囲繞するように装着する。このとき、照明保持部３１に形成された凹溝３２、３２は、透光性ケース１５の外面に形成された補強リブ１７、１７に対応するように取り付ける。
【００６１】
その後、一方の長尺基板１０の端部１０Ａを透光性ケース１５内に挿入された基板保持部３３の把持片３３Ｂの係合爪３３Ｃを長尺基板１０に形成された係合孔１０Ｄに係合させて固定する。この状態で、一方の長尺基板１０の端部１０Ａから引き出された照明器具側配線１２を他方の長尺基板１０の端部１０Ａに配線接続を行う。３つ以上の長尺基板１０を単一の透光性ケース１５内に収容する場合には、順次、上述した隣り合う長尺基板１０、１０間における電気的接続作業を行う。
【００６２】
全ての隣り合う長尺基板１０間の連結作業が終了した後、長尺基板１０が収容された状態の透光性ケース１５の両端部１０Ａ、１０Ａにそれぞれ端部取付部材２０、２０を装着する。具体的には、端部取付部材２０を透光性ケース１５の端部から挿入し、当該端部取付部材２０に設けられた基板保持部２３の把持片２３Ｂの係合爪２３Ｃを当該透光性ケース１５内において端部に位置する長尺基板１０の端部１０Ａに形成された係合孔１０Ｄに係合させて固定する。同じ要領で、他方の透光性ケース１５の端部にも端部取付部材２０を装着する。
【００６３】
その後、当該照明装置Ｌを取り付ける被取付対象３の係合孔４に端部取付部材２０、２０の各係合片２４、２５に形成された縁把持部２６、２７を係合保持させる。具体的には、当該端部取付部材２０の各係合片２４、２５をそれぞれの縁把持部２６、２７が近接する方向に撓ませて、当該縁把持部２６、２７を被取付対象３の係合孔４に規制片２８が当該被取付対象３に当接するまで挿入した後、押圧力を解除する。これにより、端部取付部材２０の各係合片２４、２５は、それ自体の弾性力によって、係合孔４内にて広がり、当該係合孔４の対向する縁部に各係止片２４、２５の縁把持部２６、２７が押圧される。具体的には、縁把持部２６、２７の縁部当接面２６Ｃ、２７Ｃが係合孔４の縁部端面に当接して、取付側支持面２６Ａ、２７Ａが係合孔４の縁部の取付側を支持し、裏側支持面２６Ｂ、２７Ｂが係合孔４の縁部の取付側とは反対側の裏側を支持する。各端部取付部材２０は、少なくとも第１係止片２４側の３点と、第２係合片２５側の３点で係合孔４と当接して係合保持されるため、安定して取り付けることが可能となる。同様に、被取付対象３の係合孔４に連結部取付部材３０を係合保持させる。
【００６４】
上述したように、本発明の照明器具取付部材を適用した端部取付部材２０及び連結部取付部材３０は、第１及び第２係止片を近接する方向に撓ませるのみで被取付対象３が備える係合孔４に係合させることができるため、各係止片に無理な力が加わりにくく、割れ等の損傷が生じ難い。さらに、各第１及び第２係止片は、同一の係合孔４に係合するものであるため、係合保持を行う箇所毎に複数の係合孔を形成する必要がなくなり、被取付対象３側に形成する係合孔の数を削減することが可能となる。
【００６５】
そして、照明器具２側から引き出された照明器具側配線１２は、端部取付部材２０側において、被取付対象３側から係合孔４を介して照明器具２側に引き出された被取付対象３側配線５と接続を行う。本実施の形態では、端部取付部材２０の第１係止片２４と第２係止片２５との間に配線保持部２９が形成されているため、これら照明器具側配線１２及び被取付側配線５は、当該配線保持部２９内において収容保持される。特に、本実施の形態では、当該第１係止片２４及び又は第２係止片２５に、これら照明器具側配線１２及び／又は被取付対象側配線５を露出する切欠２４Ａ又は２５Ａが形成されているため、当該照明器具側配線１２に形成されたコネクタ１２Ａと被取付対象側配線５に形成されたコネクタ５Ａとを当該配線保持部２９内に収容した状態で、外部から容易に接続作業を行うことが可能となる。よって、配線作業性が良好となることで、各配線の長さを必要最小限とすることが可能となり、当該照明器具２の端部周辺において取り回された配線が照明器具２からの照明光を遮蔽し難くなり、配線による影が被照明対象物に生じにくくなる。これにより、照明効果を高めることができる。
【００６６】
特に、本実施の形態では、係合孔４が、被取付対象３側から照明器具側配線１２に給電等を行う被取付対象側配線５を引き出す配線用孔を兼ね備えることにより、格別に配線用孔を被取付対象３に設ける必要がなくなり、照明器具２の取り付けに用いる係合孔４を用いて、配線の引出を行うことが可能となる。よって、生産性の向上及び美感の向上を図ることができる。
【００６７】
＜自動販売機＞
次に、上述した照明装置Ｌを備えた被取付対象３の一例として自動販売機１を例に挙げて説明する。なお、本実施の形態では、本発明に係る照明器具取付部材を備えた照明装置を自動販売機１に取り付けた場合について説明しているが、本発明の照明器具取付部材は、当該自動販売機に用いられるものに限定されるものではない。
【００６８】
ここでは、図１２及び図１３を参照して本発明の照明器具取付部材を備えた照明装置Ｌを用いた実施の形態としての自動販売機１を説明する。図１２は本実施の形態としての自動販売機１の概略正面図、図１３は図１２の自動販売機１の概略縦断側面図をそれぞれ示している。
【００６９】
本実施の形態における自動販売機１は、前面が開口した断熱性の本体５２と、当該本体５２の一側に対して回動自在に枢支され当該本体５２の前面開口を開閉自在に閉塞する外扉５３とを備える。当該外扉５３の後方には、前面に断熱性の内扉５４を備え、内部に商品を収納するための複数列の商品収納コラム５６が配設された商品収納庫５５が本体２内に設けられている。当該商品収納コラム５６には、販売する商品Ｓを収納し、所定の商品搬出制御に応じて、外扉５３に設けられた商品取出口５７から商品Ｓを搬出する。当該商品収納庫５５内に貯蔵された各商品Ｓは、周知の冷却装置や加熱ヒータにより、所定の温度に維持される。
【００７０】
自動販売機１の外扉５３の前面には、紙幣投入口５８、硬貨投入口５９と、硬貨返却口６０と、返却レバー６１と、金銭表示器６２等の商品の販売に必要となる金銭取扱装置が配設されている。そして、当該自動販売機１の外扉５３内上部には、図１３に図示する複数の商品サンプル６３が陳列される商品サンプル室６４が構成されている。本実施の形態では、当該商品サンプル室６４には、上段、中段、下段の三段にわたってそれぞれ複数の商品サンプル６３が陳列されている。なお、本実施の形態では、商品サンプル室６４は上下にわたって三段の商品サンプル６３を陳列しているが、これに限定されるものではない。
【００７１】
そして、この商品サンプル室６４の前面には、各段毎に配置された各商品サンプル６３に対応する選択ボタン６３Ａ・・が、各段に応じて設けられている。それぞれの選択ボタン６３Ａは、透光性材料にて構成されており、内部には、図示しない選択ボタン用照明が設けられている。
【００７２】
また、この商品サンプル室６４内には、各商品サンプル６３を上方から照明する照明装置が取り付けられている。本実施の形態における自動販売機１では、各段毎に配置された商品サンプル６３を上方から照明する照明装置が設けられており、当該照明装置として、詳細は上述した本発明に係る照明装置Ｌが採用されている。
【００７３】
具体的には、商品サンプル室６４内の上段に陳列された商品サンプル６３を照明する照明装置Ｌは、外扉５３の上部に位置する商品サンプル室６４の背面に設けられた背面板に形成された図示しない係合孔に端部取付部材２０の縁把持部２６、２７及び連結部取付部材４０の縁把持部３６、３７を挿入係合させることにより取り付ける。
【００７４】
商品サンプル室６４内の中段及び下段に陳列された商品サンプル６３を照明する照明装置Ｌは、それぞれ上側に配設された商品サンプル６３の下方であって、当該選択ボタン６３Ａ・・の配置によって正面からは隠蔽される空間内に配置する。この場合においても、上側に配置された商品サンプル６３の下方に位置する背面板に形成された係合孔に端部取付部材２０の縁把持部２６、２７及び連結部取付部材３０の縁把持部３６、３７を挿入係合させることにより当該照明装置Ｌを商品サンプル室６４内に取り付ける。
【００７５】
これによって、商品サンプル室６４内の上段、中段、下段のそれぞれに陳列された商品サンプル６３は、それぞれの段毎に取り付けられた本発明に係る照明装置Ｌによって、上方から照明することができる。
【産業上の利用可能性】
【００７６】
本発明にかかる照明器具取付部材は、例えば、自動販売機やショーケース等の陳列空間の照明を行う照明器具の取付を行う場合に、特に有効に用いることができる。
【符号の説明】
【００７７】
Ｌ    照明装置
Ｓ    商品
１    自動販売機（被取付対象）
２    照明器具（ＬＥＤ照明器具）
３    被取付対象
４    係合孔（配線用孔）
５    被取付対象側配線
５Ａ  コネクタ
１０    長尺基板
１０Ａ  端部
１０Ｂ  側端面
１０Ｃ  光照射面
１０Ｄ  係合孔
１１    ＬＥＤ素子
１２    照明器具側配線
１２Ａ  コネクタ
１３    切欠
１５    透光性ケース
１６    開口部
１７    補強リブ
１８    平坦部
２０    端部取付部材（照明器具取付部材）
３０    連結部取付部材（照明器具取付部材）
２１、３１  照明保持部
２２、３２  凹溝
２３、３３  基板保持部
２３Ａ、３３Ａ  起立片
２３Ｂ、３３Ｂ  把持片
２３Ｃ、３３Ｃ  係合爪
２４、３４  第１係止片
２５、３５  第２係止片
２４Ａ、２５Ａ  切欠
２６、２７、３６、３７  縁把持部（規制部）
２６Ａ、２７Ａ、３６Ａ、３７Ａ  取付側支持面
２６Ｂ、２７Ｂ、３６Ｂ、３７Ｂ  裏側支持面
２６Ｃ、２７Ｃ、３６Ｃ、３７Ｃ  縁部当接面
２８、３８  規制片
２９  配線保持部
２９Ａ  区画片
５２    本体
５３    外扉
６３    商品サンプル
６３Ａ  選択ボタン
６４    商品サンプル室
【図１】
0006643011.tif 000002
【図２】
0006643011.tif 000003
【図３】
0006643011.tif 000004
【図４】
0006643011.tif 000005
【図５】
0006643011.tif 000006
【図６】
0006643011.tif 000007
【図７】
0006643011.tif 000008
【図８】
0006643011.tif 000009
【図９】
0006643011.tif 000010
【図１０】
0006643011.tif 000011
【図１１】
0006643011.tif 000012
【図１２】
0006643011.tif 000013
【図１３】
0006643011.tif 000014